(57)【要約】【課題】遮熱機能と断熱機能とを有するようにした遮熱パネル、及び、この遮熱パネルを複数枚隣り合わせて並べて構築した組立式建築物を提供する。【解決手段】本発明の遮熱パネル１は、一対のシート１０，２０と、閉鎖空間３０とを備えている。一対のシート１０，２０は、露出する表面を有し、間隔を空けて裏面が対向している。シート１０，２０の両方が遮熱シート１２によって形成されている。閉鎖空間３０は、一対のシート１０，２０の間に設けられている。閉鎖空間３０は、一対のシート１０，２０の間に介在するスペーサ３１によって設けられている。閉鎖空間３０には、空気などの流体が封入されている。本発明の組立式建築物５は、外壁及び屋根根の少なくともいずれかが本発明のいずれかの遮熱パネル１によって構築されている。【選択図】図５
2020111966.tif 000002
【特許請求の範囲】
【請求項１】
露出する表面を有し、間隔を空けて裏面が対向した一対のシートと、
前記一対のシートの間に設けられたスペーサと、
を備え、
前記一対のシートはそれぞれ遮熱シートであり、
前記スペーサは閉鎖空間を含み、
前記閉鎖空間に流体が封入されている、
遮熱パネル。
【請求項２】
前記パネルの一辺が少なくとも約９００ｍｍである、請求項１に記載の遮熱パネル。
【請求項３】
前記スペーサの厚みは約１０ｍｍ〜約１００ｍｍである、請求項１または請求項２に記載の遮熱パネル。
【請求項４】
前記シートと前記スペーサとが接着剤によって接着されている、
請求項１乃至３のいずれか一項に記載の遮熱パネル。
【請求項５】
前記遮熱シートは、絶縁層と金属層とを含む、
請求項１乃至４のいずれか一項に記載の遮熱パネル。
【請求項６】
前記シートには、前記スペーサが突き合う端縁によって浮き出るラインが出現している、
請求項１乃至５のいずれか一項に記載の遮熱パネル。
【請求項７】
前記スペーサは、ハニカム構造とされている、
請求項１乃至６のいずれか一項に記載の遮熱パネル。
【請求項８】
前記閉鎖空間に封入される流体は、空気である、
請求項１乃至７のいずれか一項に記載の遮熱パネル。
【請求項９】
前記遮熱シートはアルミニウム層を含む、
請求項１乃至８のいずれか一項に記載の遮熱パネル。
【請求項１０】
外壁、屋根及び床を備え、前記外壁、前記屋根及び前記床の少なくともいずれかの少なくとも一部が請求項１乃至９のいずれか一項に記載の遮熱パネルによって構築されている、
組立式建築物。
【請求項１１】
空調装置を備えている請求項１０に記載の組立式建築物。
【発明の詳細な説明】
【技術分野】
【０００１】
本発明は、遮熱する機能を備えた遮熱パネル、及び、この遮熱パネルによって外壁、屋根及び床の少なくともいずれかを構築した組立式建築物に関する。
【背景技術】
【０００２】
従来より、植物を栽培するための植物栽培用ハウスが提供されている。この植物栽培用ハウスは、柱や梁などによって組み立てられた骨格材がビニルシートなどで覆われることにより、植物を栽培する室を設ける。植物栽培用ハウスは、ビニルシートによって、室内で栽培される植物が風雨に晒されないようにすることができる。しかし、ビニルシートは、夏季において室外の熱が室内に進入しないようにするという断熱機能を有していないだけでなく、太陽光の輻射を反射するという遮熱機能も有していない。
【０００３】
遮熱機能を有するようにした遮熱シートが特許文献１に記載されている。この遮熱シートは、平板材と波板材とを貼り合わせた片面段ボール状のシート体である。平板材は、平坦な板紙である第一基材に、アルミ蒸着ライナを貼り付けた積層体である。波板材には、多数の溝が平行に形成されている。遮熱シートは、平板材と波板材とで囲まれた溝内に空気層を設けた構成とされている。遮熱シートは、アルミ蒸着ライナによって太陽光の輻射を反射することができる。
【先行技術文献】
【特許文献】
【０００４】
【特許文献１】登録実用新案公報第３１７８９９４号
【発明の概要】
【発明が解決しようとする課題】
【０００５】
特許文献１に記載された遮熱シートは、空気層を設けたものとされている。空気は、流動しないことにより、ガラスや水よりも熱を伝えにくいといった特性を有している。すなわち、流動する空気は、熱を伝える。特許文献１に記載された遮熱シートは、空気層内の空気が流動するため、断熱機能を発揮し難い。
【０００６】
本発明は、このような状況に鑑みてなされたものであり、遮熱機能と断熱機能を発揮するようにした遮熱パネル、及び、この遮熱パネルによって外壁、屋根及び床の少なくともいずれかを構築した組立式建築物を提供することを課題とする。
【課題を解決するための手段】
【０００７】
前記課題を解決するため、本発明に係る遮熱パネルは、
露出する表面を有し、間隔を空けて裏面が対向した一対のシートと、
前記一対のシートの間に設けられたスペーサと、
を備え、
前記一対のシートはそれぞれ遮熱シートであり、
前記スペーサは、閉鎖空間を含み、
前記閉鎖空間に流体が封入されている。
【０００８】
前記本発明に係る遮熱パネルは、前記一対のシートの少なくとも１辺の長さが約９００ｍｍ以上であることが好ましい。
【０００９】
前記本発明に係るスペーサの厚さは、約１０ｍｍ〜約１００ｍｍであることが好ましい。
【００１０】
前記本発明に係る遮熱パネルは、前記シートと前記スペーサとが接着剤によって接着されていることが好ましい。
【００１１】
前記本発明に係る遮熱パネルにおいて、前記遮熱シートは、絶縁層と金属層とを含むことが好ましい。
【００１２】
前記本発明に係る遮熱パネルにおいて、前記シートは、前記スペーサが突き合う端縁によって浮き出るラインが出現していることが好ましい。
【００１３】
前記本発明に係る遮熱パネルにおいて、前記スペーサは、ハニカム構造とされていることが好ましい。
【００１４】
前記本発明に係る遮熱パネルにおいて、前記閉鎖空間に封入される流体は、空気であることが好ましい。
【００１５】
前記本発明に係る遮熱パネルにおいて、前記遮熱シートはアルミニウム層を含むことが好ましい。
【００１６】
前記課題を解決するため、本発明に係る組立式建築物は、外壁、屋根及び床を備え、前記外壁、前記屋根及び前記床の少なくともいずれかの少なくとも一部が本発明のいずれかの遮熱パネルによって構築されている。
前記本発明に係る組立式建築物は、空調装置を備えていることが好ましい。
【発明の効果】
【００１７】
本発明によれば、遮熱機能と断熱機能を発揮するようにした遮熱パネル、及び、この遮熱パネルによって外壁、屋根及び床の少なくともいずれかを構築した組立式建築物を提供することができる。
【図面の簡単な説明】
【００１８】
【図１】本発明に係る遮熱パネルの第１の実施形態を示した斜視図である。
【図２】本発明に係る遮熱パネルの第１の実施形態を示した分解斜視図である。
【図３】本発明に係る遮熱パネルを構成している遮熱シートの第１の実施形態を示した拡大断面図である。
【図４】本発明に係る組立式建築物の一実施形態を示す概略斜視図である。
【図５】本発明に係る遮熱パネルの第２の実施形態を示した斜視図である。
【図６】本発明に係る遮熱パネルの第２の実施形態を示した分解斜視図である。
【図７】本発明に係る遮熱パネルの第２の実施形態を示した要部拡大断面図である。
【図８】本発明に係る遮熱パネルの参考例を示した斜視図である。
【発明を実施するための形態】
【００１９】
以下、本発明を説明する。本明細書において使用される用語は、特に言及しない限り、当該分野で通常用いられる意味で用いられることが理解されるべきである。
本明細書において使用される用語「約」とは、後に続く数値の±１０％の範囲を意味する。
【００２０】
〔第１の実施形態〕
本発明に係る遮熱パネル及び組立式建築物の第１の実施形態について図１乃至図４を参照しながら説明する。図１及び図２に示すように、遮熱パネル１は、間隔を空けて対向した一対のシート１０，２０と、このシート１０，２０の間に設けられるスペーサを有し、スペーサ３１により、流体を封入した閉鎖空間３０を形成する。
【００２１】
シート１０は、太陽光の輻射を反射する遮熱シート１１によって形成されている。遮熱シート１１は、図３に示すように、シート状素材１１ａの両面に金属層１１ｂ、１１ｂを含む積層体である。金属層１１ｂ、１１ｂは、コーティングにより形成された金属箔を含むものであってもよいし、金属板（フィルムなど）を接着剤などで固着したものであってもよい。シート状素材１１ａとしては、遮熱パネル１を軽量、安価に製造可能なように、好ましくは板紙が使用される。ただし、シート状素材１１ａはガラスクロスが使用してもよいし、シート状素材１１ａは布状素材などを使用してもよい。金属層１１ｂとしては、１つの実施形態において、アルミニウム層（アルミニウム板、アルミニウム箔など）が使用される。アルミニウム層は他の金属材料と比較して遮熱効果において優れた効果を有する。ただし、本発明はこれに限定されない。例えば、金属層１１ｂは、スチール層などを使用してもよい。このような金属層１１ｂの表面は、電食防止剤（例えば、後述する絶縁層１２ａ）がコーティングされる、または電食防止剤を含むフィルムなどを貼付することで、耐水性、防水性、防錆性などを有するようにされている。
【００２２】
他方のシート２０は、アクリル板や強化プラスチック板、板紙、布地、鉄板、これらの複合体など任意の素材によって形成されている。他方のシート２０は、遮熱シート１１によって形成してもよい。
【００２３】
一対のシート１０，２０の間には、スペーサ３１が介在している。一対のシート１０，２０とスペーサ３１とによって閉鎖空間３０が設けられる。好ましい実施形態において、スペーサ３１は、図２に示すように、中芯材３１ａによって正面視六角形状のセル３１ｂが多数隣り合うようにしたハニカム構造とされている。ハニカム構造によって、一対のシート１０，２０間に閉鎖空間３０を設けた遮熱パネル１は、軽量でありながら、厚さ方向の圧縮強度が高いものとすることができる。スペーサ３１は、熱伝導率が小さな素材、例えば、ポリスチレン、ポリウレタン、アクリルなどのプラスチック、あるいは、紙や木、コルクなどが採用される。スペーサ３１は難燃性の素材で構成されることが好ましい。
【００２４】
遮熱パネル１は、好ましくは、原反と中芯とを貼り合わせて製造する段ボールのように、中芯材（スペーサ）３１ａの両縁（各シート１０，２０に接する縁）を接着剤によって各シート１０，２０に接着することで製造される。接着剤としては、各シート１０，２０と密着できるものであれば、両面接着シートであってもよいし、粘状物であってもよい。好ましくは、各シート１０、２０およびスペーサ３１の材質は紙、より好ましくは難燃性の紙である。このように材質を紙とすることで、遮熱パネルを軽量、かつ安価に製造することが可能となる。
【００２５】
遮熱パネル１の形状は任意であり得る。好ましくは、製造および施工における作業を容易とするために、略矩形状（長方形、正方形）であるが、本発明はこれに限定されない。例えば、略台形状、略菱形状などの略矩形状以外の四角形状であってもよい。
【００２６】
遮熱パネル（一対のシート１０、２０）の大きさ（例えば、遮熱パネルが有する少なくとも一辺の長さ）は、遮熱パネルが備えられる施工場所の大きさおよび形状に応じて任意の大きさ（長さ）であり得る。１つの実施形態において、遮熱パネル（一対のシート１０、２０）の一辺の長さは約９００ｍｍ以上である。１辺の長さが約９００ｍｍ以上の大きさの場合は、好ましくは、遮熱パネル１（一対のシート１０、２０）を、それぞれ金属層を有する遮熱シート１１により形成する。
【００２７】
このように、一対のシート１０、２０の両方を同じ金属層を有する遮熱シート１１により形成することで、遮熱パネル１の製造時および施工時における温湿度の変化に伴う一対のシート１０、２０それぞれの形状変化を同じにすることができる。その結果、シート１０とシート２０との材料が異なる場合に生じる撓みや反りなどが相殺されることになり、遮熱パネル１の撓みや反りを抑止することが可能となる。これは遮熱パネル１の一辺の長さが所定の長さ以上の場合に、特に好ましい。
【００２８】
したがって、一対のシート１０、２０の両方を、金属層を有する遮熱シート１１で形成することにより、遮熱パネル１の寸法が大きくなっても撓みや反りが抑止でき、後述する組立式建築物５の外壁や屋根、床などの建築材料の構造材として、骨格材５０などに固定する施工時の作業性を損なうことなく、作業性を維持することが可能となる。遮熱パネル１の大きさは、例えば、約９００ｍｍ×約９００ｍｍ〜約１３００ｍｍ×約３０００ｍｍであり得る。１つの実施形態において、約１１００ｍｍ〜約１０００ｍｍ×約２５００ｍｍ〜約２７００ｍｍである。
【００２９】
いずれにしても、スペーサ３１の各セル３１ｂ内、したがって、閉鎖空間３０内には、流体が封入される。流体としては、熱伝導率の小さい空気が使用される。空気は、特別な室内でなくても、閉鎖空間３０内に容易に封入することができる。閉鎖空間３０に封入された空気は、流動しない。閉鎖空間３０内の空気は、断熱機能を発揮する。空気は、無毒であることから、閉鎖空間３０からわずかに漏洩することがあっても、周囲に悪影響を及ぼすことがない。
【００３０】
スペーサ３１の厚みは、遮熱パネルを施工する場所の寸法や求められる断熱性能などの状況に応じて任意の厚みであり得る。好ましくは、スペーサ３１の厚みは、約１０ｍｍ〜約１００ｍｍである。スペーサ３１の厚みが約１０ｍｍ未満だと閉鎖空間３０に封入される空気の量が少なく、良好な断熱機能を奏さなくなる。スペーサ３１の厚みをこれらの範囲とすることにより、良好な断熱機能を奏するとともに十分な強度の遮熱パネル１を軽量、安価に製造すること可能とする。なお、本明細書における、「スペーサ３１の厚み」とは、遮熱パネル１における一対のシート１０とシート２０との間の寸法のことをいう。
【００３１】
図１及び図２に示した遮熱パネル１は、スペーサ３１の外周が露出している。遮熱パネル１は、このような状態で使用してもよいし、スペーサ３１の外周をカバー（図示せず）によって囲って使用してもよい。スペーサ３１は、一対のシート１０，２０の外周縁間で挟まれるようにしたテープ状のものを使用してもよいし、いずれか一方のシート１０，２０の周辺部又は両方のシート１０，２０の周辺部を折り曲げたものとしてもよい。
【００３２】
このような遮熱パネル１は、例えば、図４に示すように、組立式建築物５の外壁や屋根、床などの建築材料の構造材として使用される。組立式建築物５は、例えば、パイプや角材などの骨格材５０が地面に設置され、この骨格材５０に遮熱パネル１が１枚ずつ架け渡され、複数の遮熱パネル１が隣り合って並べるように固定することで構築される。
【００３３】
あるいは、複数枚の遮熱パネル１の端面同士が突き合うようにして配置（平面充填）した遮熱ユニットを組み立て、遮熱ユニットの端縁又は中間部を骨格材５０に固定するようにして組立式建築物５の外壁や屋根、床などを構築することもできる。あるいは、組立式建築物５は、地面に設置された骨格材５０にシート（図示せず）が覆われ、このシートの表面又は裏面に遮熱パネル１又は遮熱ユニットを固定することで構築することもできる。
【００３４】
いずれにしても、外壁や屋根として使用する遮熱パネル１は、太陽光からの輻射を反射するために遮熱シート１１を外向きにして、他方のシート２０を室内に向ける。床として使用する遮熱ユニットは、地面からの輻射を反射するために遮熱シート１１を地面側に向け、他方のシート２０を室内に向ける。床として使用する遮熱パネル１の他方のシート２０上には、鉄板又は床マットが敷設される。
【００３５】
このようにして組み立てられる組立式建築物５は、種々の分野で使用することができる。組立式建築物５は、例えば、農業の分野において、収穫した農作物の保管庫として使用することができる。保管庫は、多数の農作物を保管できる広さとされる。
【００３６】
例えば、保管庫内には、棚板を一対の側板に架け渡した陳列棚（図示せず）が１列又は複数列設置される。棚板は、農作物の数によって１段又は複数段一対の側板に架け渡される。床として使用する遮熱パネル１上に鉄板が敷設されていると、陳列棚や農作物の荷重を鉄板が受けることによって、遮熱パネル１が破損しないようにすることができる。
【００３７】
保管庫として使用する組立式建築物５の一部には、出入口５１が設けられる。組立式建築物５には、必要に応じて空調機器５２が付設される。空調機器５２は、圧縮機、凝縮器及び蒸発器が一体となった一体型であってもよいし、室外機と室内機とが別体で構成されるセパレータ型であってもよい。一体型の空調機器５２は、組立式建築物５の外側に設置し、ダクト（図示せず）によって冷気を室内に導入するようにしてもよい。
【００３８】
保管庫内は、遮熱パネル１によって、すなわち、遮熱シート１１や閉鎖空間３０、スペーサ３１によって、外気などの影響を受けることなく、さらに、空調機器５２によって冷房される。したがって、保管庫が業務用の空調機器５２を必要とするような広さであっても、家庭用の空調機器５２によって冷房することができる。保管庫内に入れられた農作物は、最適な状態で保管され、適宜、出荷される。
【００３９】
すべての農作物が出荷されると、陳列棚が保管庫内から排出され、遮熱パネル１が骨格材５０から外され、骨格材５０が撤去される。建築材料の構造材が遮熱パネル１によって構成されているため、組立式建築物５は、容易に解体することができる。さらに、遮熱パネル１は、後日、設置される組立式建築物５の建築材料の構造材として再利用することができる。
【００４０】
第１の実施において、一方のシート１０を形成した遮熱シート１１は、シート状素材１１ａの両面に金属層１１ｂをコーティングまたは接着剤で貼付したが、これに限らない。遮熱シート１１は、シート状素材１１ａの両面に金属層１１ｂをコーティングまたは接着剤で貼付し、一方の金属層１１ｂに図示しない（以下も同様）段ボールを貼り合わせたものとしてもよいし、一方の金属層１１ｂに替えて段ボールを貼り合わせたものとしてもよいし、シート状素材１１ａがなく、金属層１１ｂと段ボールに貼り合わせたものとしてもよい。段ボールを貼り合わせた遮熱シート１１は、段ボールによって、保形性を有し、また、紙製のスペーサ３１との接着力を強くすることができる。
【００４１】
また、遮熱シート１１は、シート状素材１１ａがない金属層１１ｂだけで構成されてもよい。この場合は、金属層１１ｂが接着剤によって直接、スペーサ３１と接続される。
【００４２】
〔第２の実施形態〕
本発明に係る遮熱パネルの第２の実施形態について図５乃至図７を参照しながら説明する。第２の実施形態において、第１の実施形態と同一の部分及び同一に相当する部分は、同一符号を付して説明する。
【００４３】
図５及び図６に示すように、第２実施形態における遮熱パネル１は、一対のシート１０，２０と、閉鎖空間３０とを備えている。一対のシート１０，２０は、露出する表面を有し、間隔を空けて裏面が対向している。閉鎖空間３０は、一対のシート１０，２０と、この一対のシート１０，２０の間に介在するスペーサ３１とによって囲まれた領域内に設けられている。
【００４４】
一対のシート１０，２０の少なくとも一方は、太陽光の輻射を反射する遮熱シート１２によって形成されている。遮熱シート１２は、少なくとも表面に絶縁層１２ａを有する金属層である。すなわち、金属層である遮熱シート１２は、アルミニウムなどの金属製のベース１２ｂの表面に熱可塑性樹脂（例えば、ポリエチレンテレフタレート（ＰＥＴ）、ポリブチレンテレフタレート（ＰＢＴ）、ポリアミド（ＰＡ）、ポリプロピレン（ＰＰ）、ポリエチレン（ＰＥ））などをコーティング、または接着剤で固着することなどで絶縁層１２ａを被覆した金属層である。あるいは、遮熱シート１２は、金属製のベース１２ｂの表面を酸化することにより、表面に絶縁層１２ａを被覆した金属層であってもよい。いずれにしても、この金属製の遮熱シート１２は、絶縁層１２ａによって金属製のベース１２ｂが電食することが防止される。一対のシート１０、２０の両方に遮熱シート１２を用いる場合、シート１０、シート２０に使用される遮熱シート１２の絶縁層１２ａはそれぞれ同じ材料であってもよいし、異なる材料であってもよい。形状変化抑制の観点から、シート１０、シート２０に使用される遮熱シート１２の絶縁層１２ａは同じ材料で構成されることが好ましい。
【００４５】
また、遮熱シート１２によって、図４に示すような組立式建築物５が構築された場合、組立式建築物５の表面は、絶縁層１２ａで覆われることになる。そのため、組立式建築物５の表面における短絡事故が抑制され得る。
【００４６】
図７に示すように、遮熱シート１２の裏面には、クッション材層１３が積層されていてもよい。クッション材層１３は、不織布又はウレタンによって形成されていてもよい。クッション材層１３の裏面（他方のシート２０と対向する面）には、スペーサ３１を隙間なく気密に接着するための粘状の接着剤４０が塗布されている。
【００４７】
接着剤４０は、スペーサ３１を接着する部位のクッション材層１３の裏面にのみ塗布されてもよいし、クッション材層１３の全面に浸透するように塗布されてもよい。あるいは、接着剤４０は、クッション材層１３でなく、スペーサ３１の端縁（クッション材層１３に当たるエッジ）に塗布し、スペーサ３１の端縁を遮熱シート１２の裏面に接着してもよい。あるいは、接着剤４０は、シート状のものをクッション材層１３の裏面又はスペーサ３１の端縁に貼り合わせたものとしてもよい。
【００４８】
いずれにしても、図示しないが、スペーサ３１の端縁３１ｃに連続するスペーサ３１の表裏面の端部３１ｄが接着剤４０によって覆われる。すなわち、接着剤４０は、スペーサ３１の端部３１ｄにおいて盛り上がるようになって、スペーサ３１の端部３１ｄとクッション材層１３の裏面とを接着し、スペーサ３１の端縁３１ｃとクッション材層１３の裏面とをも接着する。あるいは、図７の拡大部分に示すように、スペーサ３１の端部３１ｄがクッション材層１３内に食い込むようになり、スペーサ３１の端部３１ｄとクッション材層１３とが接着剤４０によって接着される。
【００４９】
スペーサ３１は、多数の六角形状のセル３１ｂ（図２参照）が多数隣り合うように並べられたハニカム構造とされている。スペーサ３１は、芯材（ハニカムコア）として一対のシート１０，２０間に挟まれる。一対のシート１０，２０は、図示しないが、ロールから繰り出される原反を切断して形成される。スペーサ３１は、一対のシート１０，２０の原反の間に押圧される状態となる。押圧の際にかけられる力は、スペーサ３１の原反と一対のシート１０，２０の原反とが強固に接着されるようにするため、強いことが望ましい。
【００５０】
その結果、図６に示すように、一対のシート１０，２０（図６では遮熱シート１２のみ図示）の表面には、スペーサ３１が突き合う端縁によって浮き出るライン１５が出現し得る。このライン１５は、尖った稜線でなく、畝のように盛り上がる状態となる。換言すると、シート１０および／または２０は、スペーサ３１との接着によって、スペーサ３１が突き合う端縁によって浮き出るライン１５が出現するような厚みを有するものであり得る。なお、ロールから繰り出された一対のシート１０，２０の原反及びスペーサ３１の原反は、所定の長さで切断される。
【００５１】
遮熱パネル１は、一対のシート１０，２０とスペーサ３１とによって囲まれたセル３１ｂ内に閉鎖空間３０が設けられる。この閉鎖空間３０内には、流体が封入されている。流体としては、熱伝導率の小さい空気が使用される。クッション材層１３の裏面とスペーサ３１の端部３１ｄとが接着剤４０によって気密に接着していることから、この流体は、閉鎖空間３０内で流動しない。したがって、この遮熱パネル１は、断熱機能を発揮する。
【００５２】
また、少なくとも一方のシート１０が遮熱シート１２とされることにより、この遮熱パネル１は、遮熱機能を発揮する。この第２の実施形態の遮熱パネル１は、第１の実施形態において説明したように、組立式建築物５（図４参照）の外壁や屋根、床などの建築材料の構造材として使用される。
【００５３】
ここで、図示しないが第２の実施形態の変形例について説明する。前記の一方のシート１０は、遮熱シート１２の裏面にクッション材層１３を積層したものとした。しかし、一方のシート１０は、遮熱シート１２の裏面に、クッション材層１３でなく、他方のシート２０と同様のシートを積層したものとしてもよい。すなわち、一方のシート１０は、アクリル板や強化プラスチック板、板紙、布地、鉄板、段ボール、これらの複合体など任意の素材によって形成されシートと遮熱シート１１とを積層したものとしてもよい。この場合における遮熱シート１２は、アクリル板や段ボールのようなシートの裏面に接着剤４０が塗布される。さらに、遮熱パネル１は、クッション材層１３を遮熱シート１２の裏面に積層することなく、遮熱シート１２の裏面にスペーサ３１に接着してもよい。
【００５４】
さらに、遮熱シート１２の裏面にクッション材層１３もアクリル板や段ボールのようなシートも積層されないようにしてもよい。この場合は、遮熱シート１２の裏面とスペーサ３１とが接着剤によって直接、接着される。この接着剤の量は、スペーサ３１の端部３１ｄを覆う程度であることが望ましい。
【００５５】
前記遮熱シート１２は、金属製のベース１２ｂの表面に絶縁層１２ａを被覆した金属層を含むものである。しかし、金属製のベース１２ｂは、図３に示したような積層体、すなわち、シート状素材１１ａの両面に金属層１１ｂ、１１ｂをコーティングまたは接着剤で貼付した積層体としてもよい。このような遮熱シート１２の裏面には、クッション材層１３が積層されてもよいし、アクリル板や段ボールなどが積層されてもよい。あるいは、遮熱パネル１は、図３に示したような積層体のような遮熱シート１２が直接、スペーサ３１に接着されるようにしてもよい。
【００５６】
さらに、遮熱シート１２は、金属製のベース１２ｂの表面に絶縁層１２ａを有するものとした。しかし、遮熱シート１２は、絶縁層１２ａを有さない金属製のベース１２ｂのみとしてもよい。さらに、遮熱パネル１は、一対のシートとも遮熱シート１２，１２としてもよい。
【００５７】
〔その他の実施形態〕
以上、本発明の遮熱パネル１及び組立式建築物５の実施形態について説明したが、本発明は、前記の実施形態に限定されるものではなく、本発明の課題を解決できる範囲での変更や改良は、本発明に含まれる。
【００５８】
前記遮熱パネル１のスペーサ３１は、ハニカム構造に限定されず、正面視が三角形、四角形、円形となるセル３１ｂが多数隣り合うようにしてもよいし、グレーチングのような格子状であってもよいし、あるいは、一対のシート１０，２０の外周部を囲む枠状にしたフラッシュ構造であってもよい。
【００５９】
前記遮熱パネル１の閉鎖空間３０及び追加の閉鎖空間３２内に封入する少なくともいずれか一方の流体は、空気に替えて、アルゴンガスやクリプトンガス、あるいは、ジェルなどであってもよい。ただし、これらの流体を封入する閉鎖空間３０，３２は、空気を封入する場合よりも、高い気密性が求められる。したがって、これらの流体は、例えば、扁平な袋体内に封入することで、袋体外に漏洩しないようにする。閉鎖空間３０，３２は、フラッシュ構造としたスペーサ３１と一対のシート１０，２０とによって構成し、流体を密封した袋体を収納することで、流体を封入するようにしてもよい。
【００６０】
前記組立式建築物５は、農作物の保管庫以外に、仮設店舗や仮設休憩所、仮設住宅などであってもよい。仮設店舗や仮設休憩所は、屋根と両側面及び背面の３方の外壁とを備え、正面が開放される。この仮設店舗や仮設休憩所においては、遮熱パネル１が屋根と３方の外壁とに設置され、床に設置するかどうかは任意とされる。仮設住宅は、出入口５１だけでなく、窓も必要に応じて設けられる。仮設店舗や仮設休憩所、仮設住宅も、不要となると、撤去される。
【００６１】
前記組立式建築物５は、外壁、屋根及び床の全てを遮熱パネル１によって構成したが、外壁のみや屋根のみ遮熱パネル１によって構成するようにしてもよい。
【００６２】
前記組立式建築物５は、仮設としたが、恒久建築物としてもよい。例えば、遮熱パネル１は、果物や園芸用の栽培ハウス、鶏舎や牛舎のような畜舎、陸上に設置された魚養殖用の生簀を覆う建屋の外壁、屋根などに使用してもよい。さらに、遮熱パネル１は、掘りごたつの炉函を構成することもできる。
【００６３】
〔参考例〕
本発明に係る遮熱パネル参考例について図８を参照しながら説明する。図８は、本発明に係る遮熱パネルの参考例を示した斜視図である。参考例における遮熱パネル１は、一方のシート１０である遮熱シート１１に間隔を空けて対向した追加のシート２２と、この追加のシート２２と遮熱シート１１との間に設けられた追加の閉鎖空間３２とを備え、追加の閉鎖空間３２に空気などの流体が封入されるようにしてもよい。遮熱シート１１と追加のシート２１との間には、ハニカム構造のようなスペーサ３１が介在する。遮熱シート１１の両面に空気などの流体を封入した閉鎖空間３０及び追加の閉鎖空間３２が設けられた遮熱パネル１は、熱を遮断する断熱機能をより高めることができる。
【００６４】
〔まとめ〕
以上まとめると、本発明が適用される遮熱パネル１は、
露出する表面を有し、間隔を空けて裏面が対向した一対のシート１０，２０と、
前記一対のシート１０，２０の間に設けられたスペーサ３１と、
を備え、
前記一対のシート１０，２０はそれぞれ遮熱シート１１，１２であり、
前記スペーサ３１は閉鎖空間３０を含み、
前記閉鎖空間３０に流体が封入されている。
【００６５】
この遮熱パネル１は、シート１０およびシート２０が、遮熱シート１１，１２によって形成されることにより、太陽光などの輻射を反射するという遮熱機能を発揮し、閉鎖空間に流体が封入されることにより、熱を遮断する断熱機能を発揮することができるとともに、遮熱パネルの反りや撓みを抑制することが可能となる。
【００６６】
前記本発明に係る遮熱パネル１は、前記シート１０，２０と前記スペーサ３１とが接着剤４０によって接着されている。その結果、前記接着剤４０が前記スペーサ３１の端部３１ｄを覆っている。この遮熱パネル１によれば、シート１０，２０と前記スペーサ３１（端部３１ｄ）とが接着剤４０によって接着されていることにより、シート１０，２０とスペーサ３１とが隙間なく気密に接着され、閉鎖空間３０内の流体が流動しないようにして、断熱機能を向上することができる。
【００６７】
本発明が適用される遮熱パネル１において、前記遮熱シート１２は、絶縁層１２ａと金属層とを含む。この遮熱パネル１によれば、遮熱シート１２の絶縁層１２ａと金属層とを含むことにより、遮熱シート１２は、電食が防止される。１つの実施形態において、絶縁層は遮熱シートの少なくとも表面に設けられている。
【００６８】
本発明が適用される遮熱パネル１において、前記シート１０，２０は、前記スペーサ３１が突き合う端縁によって浮き出るライン１５が出現していてもよい。このシート１０，２０は、スペーサ３１の端縁によって浮き出るライン１５が出現することにより、スペーサ３１との接着力を強固にしたものとなる。
【００６９】
本発明が適用される遮熱パネル１において、前記スペーサ３１は、ハニカム構造とされていてもよい。この遮熱パネル１によれば、ハニカム構造によって軽量化を図りつつ遮熱パネル１の厚さ方向の圧縮強度を高めることができる。また、一対のシート１０、２０の両方を遮熱シート１１もしくは遮熱シート１２により形成することにより、遮熱パネルの撓みや反りを防止することが可能となる。
【００７０】
本発明が適用される遮熱パネル１において、前記閉鎖空間３０に封入される流体は、空気であってもよい。この遮熱パネル１によれば、熱を伝えにくい空気によって断熱層が構成されることにより、断熱機能を高めることができる。また、空気は、コストアップの要因とならず、安全であることから、遮熱パネルは取り扱いやすいものとなる。
【００７１】
本発明が適用される組立式建築物５は、外壁、屋根及び床を備え、前記外壁、前記屋根及び前記床の少なくともいずれかの少なくとも一部が本発明のいずれかの遮熱パネル１によって構築されている。
【００７２】
この組立式建築物５によれば、外壁及び屋根、床のいずれかが本発明の遮熱パネル１によって構成されることにより、組立式建築物５の内部を外気に影響されないようにすることができる。したがって、この組立式建築物５は、保管庫などとして使用することができる。
【００７３】
本発明が適用される組立式建築物５の一態様として、空調装置を備えていることが好ましい。この組立式建築物５によれば、空調装置によって室内の温度などを任意に設定することができる。
【符号の説明】
【００７４】
１・・・・遮熱パネル
５・・・・組立式建築物
１０・・・・一方のシート
１１・・・・遮熱シート
１１ａ・・・シート状素材
１１ｂ・・・金属層
１２・・・・遮熱シート
１２ａ・・・絶縁層
１２ｂ・・・金属製のベース
１５・・・・ライン
２０・・・・他方のシート
２２・・・・追加のシート
３０・・・・閉鎖空間
３１・・・・スペーサ
３１ｄ・・・端部
３２・・・・追加の閉鎖空間
４０・・・・接着剤
【図１】
2020111966.tif 000003
【図２】
2020111966.tif 000004
【図３】
2020111966.tif 000005
【図４】
2020111966.tif 000006
【図５】
2020111966.tif 000007
【図６】
2020111966.tif 000008
【図７】
2020111966.tif 000009
【図８】
2020111966.tif 000010
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
遮熱パネルであって、
金属層がシートに接着剤によって接着されて構成された第１の遮熱シートと、
前記金属層が前記シートに前記接着剤によって接着されて構成された第２の遮熱シートと、
前記第１の遮熱シートと第２の遮熱シートの間に設けられたスペーサと、
を備え、
前記第１の遮熱シートおよび第２の遮熱シートの外表面は絶縁層でコーティングされており、
前記第１の遮熱シートおよび第２の遮熱シートと前記スペーサとは接着剤によって接着されており、
前記第１の遮熱シートおよび第２の遮熱シートの双方に、前記スペーサが突き合う端縁によって浮き出るラインが出現しており、
前記スペーサは、紙、木、またはプラスチック製であり、
前記スペーサは閉鎖空間を含み、
前記閉鎖空間に流体が封入されている、
遮熱パネル。
【請求項２】
前記パネルの一辺が少なくとも約９００ｍｍである、請求項１に記載の遮熱パネル。
【請求項３】
前記スペーサの厚みは約１０ｍｍ〜約１００ｍｍである、請求項１または請求項２に記載の遮熱パネル。
【請求項４】
前記シートは板紙である、
請求項１乃至３のいずれか一項に記載の遮熱パネル。
【請求項５】
前記閉鎖空間に封入される流体は、空気である、
請求項１乃至４のいずれか一項に記載の遮熱パネル。
【請求項６】
前記金属層はアルミニウム箔を含む、
請求項１乃至５のいずれか一項に記載の遮熱パネル。
【請求項７】
前記スペーサは紙製である、請求項１乃至６のいずれか一項に記載の遮熱パネル。
【請求項８】
前記遮熱パネルは、前記第１の遮熱シートと、前記第２の遮熱シートと、前記スペーサとの三層構造からなる、請求項１乃至７のいずれか一項に記載の遮熱パネル。
【請求項９】
前記遮熱パネルは、空調装置を備えている組立式建築物用のものである、請求項１乃至８のいずれか一項に記載の遮熱パネル。
【請求項１０】
外壁、屋根及び床を備え、前記外壁、前記屋根及び前記床の少なくともいずれかの少なくとも一部が請求項１乃至９のいずれか一項に記載の遮熱パネルによって構築されている、
組立式建築物。
【請求項１１】
空調装置を備えている保管庫である、請求項１０に記載の組立式建築物。
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
遮熱パネルであって、
金属層がシートに接着剤によって接着されて構成された第１の遮熱シートと、
前記金属層が前記シートに前記接着剤によって接着されて構成された第２の遮熱シートと、
前記第１の遮熱シートと第２の遮熱シートの間に設けられたスペーサと、
の三層構造からなり、
前記第１の遮熱シートおよび第２の遮熱シートの外表面は絶縁層でコーティングされており、
前記第１の遮熱シートおよび第２の遮熱シートと前記スペーサとは接着剤によって接着されており、
前記第１の遮熱シートおよび第２の遮熱シートの双方に、前記スペーサが突き合う端縁によって浮き出るラインが出現しており、
前記シートは板紙を含み、
前記金属層はアルミニウム層を含み、
前記スペーサは、紙、木、またはプラスチック製であり、
前記スペーサは、前記第１の遮熱シートと、前記第２の遮熱シートと、前記スペーサとで囲まれた閉鎖空間を含み、
前記閉鎖空間に流体が封入されている、
遮熱パネル。
【請求項２】
前記パネルの一辺が少なくとも約９００ｍｍである、請求項１に記載の遮熱パネル。
【請求項３】
前記スペーサの厚みは約１０ｍｍ〜約１００ｍｍである、請求項１または請求項２に記載の遮熱パネル。
【請求項４】
前記閉鎖空間に封入される流体は、空気である、
請求項１乃至３のいずれか一項に記載の遮熱パネル。
【請求項５】
前記アルミニウム層はアルミニウム箔である、
請求項１乃至４のいずれか一項に記載の遮熱パネル。
【請求項６】
前記スペーサは紙製である、請求項１乃至５のいずれか一項に記載の遮熱パネル。
【請求項７】
前記遮熱パネルは、空調装置を備えている組立式建築物用のものである、請求項１乃至６のいずれか一項に記載の遮熱パネル。
【請求項８】
外壁、屋根及び床を備え、前記外壁、前記屋根及び前記床の少なくともいずれかの少なくとも一部が請求項１乃至７のいずれか一項に記載の遮熱パネルによって構築されている、
組立式建築物。
【請求項９】
空調装置を備えている保管庫である、請求項８に記載の組立式建築物。